(57)【特許請求の範囲】
【請求項１】
それぞれ開閉扉を有する複数のラックが一列に並んだラック列を複数のカメラにて監視する監視装置のモニタ画面による監視方法であって、
前記ラック列の長手方向の両端部の、前記ラック列に属するラックの有する開閉扉の開閉状況を映し出す位置に前記カメラを少なくとも１台づつ設け、
前記ラック列に属するラックの保守領域にいる作業者の位置情報を、当該作業者が携行する位置検出可能なＩＤカードから取得し、
前記ラック列に属する複数の前記ラックの前記開閉扉が開かれたとき、前記位置情報に基づいて、前記位置情報の示す位置に一番近いスピーカに、前記開かれた複数の開閉扉のうち１つの開閉扉以外の開閉扉を閉じさせる警告メッセージを流すことを特徴とする監視方法。
【請求項２】
それぞれ開閉扉を有する複数のラックが一列に並んだラック列を複数のカメラにて監視する監視装置のモニタ画面による監視方法であって、
前記ラック列の長手方向の両端部の、前記ラック列に属するラックの有する開閉扉の開閉状況を映し出す位置に前記カメラを少なくとも１台づつ設け、
前記ラック列に属するラックの保守領域にいる作業者の位置情報を、当該作業者が携行する位置検出可能な携帯端末機から取得し、
前記ラック列に属するラックの前記開閉扉の複数が開かれたとき、前記開かれた複数開閉扉のうち１つの開閉扉以外の開閉扉を閉じさせる警告メッセージを、前記作業者の携行する携帯端末機に流すことを特徴とする監視方法。
【請求項３】
前記モニタ画面を記録再生可能な媒体に保存することを特徴とする請求項１または請求項２記載の監視方法。
【請求項４】
それぞれ開閉扉を有する複数のラックが一列に並んだラック列を複数のカメラにて監視する監視装置であって、
前記ラック列の長手方向の両端部の、前記ラック列に属するラックの有する開閉扉の開閉状況を映し出す位置に各々少なくとも１台づつ備えられたカメラと、
映像監視サーバとを有し、
前記映像監視サーバは、
前記カメラが撮影する映像をリアルタイムに表示するモニタと、
前記ラック列に属するラックの保守領域にいる作業者の位置情報を、当該作業者が携行する位置検出可能なＩＤカードから取得する手段と、
前記ラック列に属する複数の前記ラックの前記開閉扉が開かれたとき、前記位置情報に基づいて、前記位置情報の示す位置に一番近いスピーカに、前記開かれた複数の開閉扉のうち１つの開閉扉以外の前記開閉扉を閉じさせる警告メッセージを流す手段とを、
有することを特徴とする監視装置。
【請求項５】
それぞれ開閉扉を有する複数のラックが一列に並んだラック列を複数のカメラにて監視する監視装置であって、
前記ラック列の長手方向の両端部の、前記ラック列に属するラックの有する開閉扉の開閉状況を映し出す位置に各々少なくとも１台づつ備えられたカメラと、
映像監視サーバとを有し、
前記映像監視サーバは、
前記カメラが撮影する映像をリアルタイムに表示するモニタと、
前記ラック列に属するラックの保守領域にいる作業者の位置情報を、当該作業者が携行する位置検出可能な携帯端末機から取得する手段と、
前記ラック列に属するラックの前記開閉扉の複数が開かれたとき、前記開かれた複数開閉扉のうち１つの開閉扉以外の開閉扉を閉じさせる警告メッセージを前記作業者の携行する携帯端末機に流す手段とを、
有することを特徴とする監視装置。
【請求項６】
それぞれ開閉扉を有する複数のラックが一列に並んだラック列を複数のカメラにて監視する監視プログラムであって、映像監視サーバのコンピュータに、
前記ラック列の長手方向の両端部の、前記ラック列に属するラックの有する開閉扉の開閉状況を映し出す位置に各々少なくとも１台づつ備えられたカメラに、前記ラック列の開閉扉の開閉状況を撮影させるステップと、
前記カメラにより撮影された映像をリアルタイムに前記映像監視サーバの有するモニタ画面に表示させるステップと、
前記ラック列に属するラックの保守領域にいる作業者の位置情報を、当該作業者が携行する位置検出可能なＩＤカードから取得するステップと、
前記ラック列に属する複数の前記ラックの前記開閉扉が開かれたとき、前記位置情報に基づいて、前記位置情報の示す位置に一番近いスピーカに、前記開かれた複数の開閉扉のうち１つの開閉扉以外の前記開閉扉を閉じさせる警告メッセージを流すステップとを、
実行させることを特徴とする監視プログラム。
【請求項７】
それぞれ開閉扉を有する複数のラックが一列に並んだラック列を複数のカメラにて監視する監視プログラムであって、映像監視サーバのコンピュータに、
前記ラック列の長手方向の両端部の、前記ラック列に属するラックの有する開閉扉の開閉状況を映し出す位置に各々少なくとも１台づつ備えられたカメラにより、前記ラック列の開閉扉の開閉状況を撮影させるステップと、
前記カメラにより撮影された映像をリアルタイムに前記映像監視サーバの有するモニタ画面に表示させるステップと、
前記ラック列に属するラックの保守領域にいる作業者の位置情報を、当該作業者が携行する位置検出可能な携帯端末機から取得するステップと、
前記ラック列に属するラックの前記開閉扉の複数が開かれたとき、前記開かれた複数開閉扉のうち１つの開閉扉以外の開閉扉を閉じさせる警告メッセージを、前記作業者の携行する携帯端末機に流すステップと、
を実行させることを特徴とする監視プログラム。
【発明の詳細な説明】
【技術分野】
【０００１】
本発明は、開閉扉を有する複数のラックの監視カメラによる監視装置、監視方法、および監視プログラムに関する。
【背景技術】
【０００２】
顧客のサーバその他の電子機器等を預かり、また自らが用意したサーバを顧客に貸し出すインターネットへの接続回線や運用・保守サービスなどを提供する施設であるデータセンタ等においては、高度のセキュリティが求められる。
【０００３】
このようなデータセンタでは、通常、サーバ等電子機器は開閉扉（以下、単に扉と呼ぶ）が施錠された複数のラックに収納されており、入館申請、ＩＤカードによる入退室管理、監視カメラによる２４時間監視などでセキュリティを確保している。こういった監視体制の中で、電子機器の動作状況を監視するサービスや、定期保守などのサービスは必須なものとなっている。
【０００４】
施設内の各エリアの機能や用途別に、空間や利用者の重要度に応じたセキュリティレベルを設定するセキュリティゾーニングにもとづき、例えば、出入口は１カ所とし、人物の動線を集中監視し、オペレータ、保守要員の動線は、迅速な対応と作業の効率化のための最短ルートとしている。
【０００５】
入館申請においては施設内で作業しようとするラックの番号、作業内容、作業時間帯等を把握し、映像監視ではリアルタイム映像にて確認したり、また、入退室管理では、認証を生体に統一し、完全な個人特定方式を採用したり、人物の位置を把握し、受付から施設内のラックまでの動線を統制したり、録画映像と連携し、証跡管理も必要とされる。
【０００６】
ここで、リアルタイム映像による映像監視においては、カメラの撮像画面における死角領域（ものに隠れてカメラから見えない領域）が発生しないように複数のラックを一列に並べ、ラックの列と列の間を監視カメラにより斜め上方から監視するのが一般的である。（図４参照）。
【０００７】
上述のような扉付きラックが一列に並んだ状態においてカメラの撮像画面における死角領域が生ずるのは、ラックに収納された電子機器等のメンテナンスや新たな電子機器等の搭載、設定作業時などにラックの扉が２箇所以上開かれている時に発生する。図４においては、Ｄ列のＤ−２ラック、Ｄ−３ラック、そしてＥ列のＥ−３ラック、Ｅ−４ラックの扉が開いている。Ｄ列とＥ列のラック列の中央で図の左右上方より監視しているカメラ４１、カメラ４２の両方から見て同時に発生している死角領域を×印で、そしてカメラ４１、カメラ４２の一方から見て生じている死角領域を△印で記載した。
【０００８】
上記のようなカメラの死角に関し、死角に入って消えた侵入者等の対象物の存在を認識できるようにした映像処理装置がある（例えば、特許文献１参照）。しかし、特許文献１に記載されている映像処理装置は、死角領域の発生を予防しようとする目的とは異なる構成となっている。
【先行技術文献】
【特許文献】
【０００９】
【特許文献１】特開２００１−９４９６８号公報
【発明の概要】
【発明が解決しようとする課題】
【００１０】
本発明は、上記の点に鑑みてなされたものであって、データセンタ等におけるリアルタイム映像による映像監視時に、ロッカの複数の開閉扉が開かれ、すべての監視モニタ画面において死角領域が発生している状況下で、扉の陰で作業が行なわれているのでは適切な監視とはいえず、かつ、作業の証跡を残す記録としては不適切である。作業中にすべての監視モニタ画面において死角領域が発生しているといった状況にならないように、自動的に、または作業者等に注意を促して死角領域を生じさせない監視装置、監視方法、および監視プログラムの提供を目的とする。
【課題を解決するための手段】
【００１１】
上記課題を解決するために、監視カメラによる監視装置の一実施形態によれば、一列に並んだラック列をカメラにて監視する監視装置であって、複数のカメラと、映像監視サーバとを有し、前記ラック列の左右方向から前記ラックの有する開閉扉の開閉状況を映し出す位置に前記カメラを少なくとも１台づつ設け、前記映像監視サーバは、前記カメラが撮影する映像をリアルタイムに表示するモニタと、前記ラック列に属するラックの開閉扉の開閉を検出する扉開閉検出手段と、前記開閉扉の１つが開かれているときには他の前記開閉扉を開くことを禁止するロック手段とを有する。
【発明の効果】
【００１２】
開示された技術によれば、データセンタ等におけるリアルタイム映像による映像監視時に、複数の扉が開かれて全ての監視モニタ画面において死角領域が発生している状況下で、死角領域において作業が行なわれることを防止し、また、作業の証跡を残す適切な記録として使える。
【図面の簡単な説明】
【００１３】
【図１】実施形態における第１の実施例
【図２】実施形態におけるラックとカメラの相対位置の例
【図３】実施形態における扉開閉検出部の例
【図４】従来例における問題点の説明図
【図５】実施形態におけるフローチャートの例
【図６】実施形態におけるテーブル等の例
【発明を実施するための形態】
【００１４】
以下、図面を参照しつつ一実施形態を説明する。
【００１５】
図１は、実施形態における第１の実施例を示す。ネットワークサーバ等を保管・管理・運営するサーバ室内を上方から見た図を示している。ネットワークサーバ等を収納し、扉が施錠され一列に配列されたラック列のＡ列を構成しているＡ−１ラックからＡ−６ラックまでの６台のラックとＢ列を構成しているＢ−１ラックからＢ−６ラックまでの６台のラックが、それぞれ扉を開閉する側を向かい合わせにフロア1の上に設置されている。
【００１６】
ａ−１からａ−６およびｂ−１からｂ−６は各々Ａ−１ラックからＡ−６ラックおよびＢ−１ラックからＢ−６ラックに対応した保守領域を示す。例えばＢ−４ラックに対応する保守領域はｂ−４である。
【００１７】
図１においては、保守領域のｂ−１からｂ−６とａ−１からａ−６との間に通路のスペースを設けていないが、通路のスペースを設けてあっても勿論かまわない。
【００１８】
ラック２の有する扉は右側開きか左側開きか、また片開きか両開きかのいずれでも構わないし、扉の付いていないラックが混在していても構わない。図１においては、ラック２の向かって右側に扉開閉用ヒンジが付けられた左側開きで、かつ、片開きの扉に統一されている。施錠された扉を開けてラック２に収納されている電子機器等の保守や、ラック２において電子機器等の搬出・搬入を行なう。
【００１９】
カメラＬ３−１およびカメラＲ３−２は、Ａ列のラックとＢ列のラックの中央に位置し、ラック２の上面より高い位置で、サーバ室の壁面に、互いに対向して取り付けられている。カメラＬ３−１とカメラＲ３−２は、ズーム機能を備え、監視角度可変で、監視領域はそれぞれが取り付けられている位置から、Ａ列とＢ列のラックの上面、前面、保守領域、作業員によるラック内の機器等の保守の一部の様子などを含めて撮像できるようになっている。
【００２０】
映像監視サーバ４は、例えば別室の映像監視ルームに置かれ、複数のモニタ４−１−１付きの映像監視部４−１、扉開閉検出部４−２、アラーム発生部４−３、ＣＰＵ４−４、メモリ４−５、ＤＢ４−６を備えている。
【００２１】
カメラＬ３−１およびカメラＲ３−２により撮像されるデータは、映像監視サーバ４に各々のカメラ用ケーブル６で送られ、映像監視部４−１により処理される。各々のカメラによる監視映像はモニタ４−１−１によりリアルタイムで監視可能となっている。また、モニタ４−１−１に接続された図示されていない操作ボードによりカメラＬ３−１およびカメラＲ３−２が遠隔操作できるようになっている。
【００２２】
ラック２の各々の扉の開閉は開閉ヒンジ近傍に取り付けられた、例えば図示３に示すマイクロスイッチを開閉センサとしてマイクロスイッチのＯＮ−ＯＦＦ動作により、扉開閉センサケーブル７を経由して扉開閉検出部４−２においてそれぞれ検知される。扉が開けられた時にマイクロスイッチの動作を扉開閉検出部４−２が検知し、アラーム発生部４−３からモニタ４−１−１のうちの当該モニタ画面にラック番号を表示させる。
【００２３】
Ｂ−１ラックからＢ−６ラックの扉の開く動作を各々の扉に付けられたマイクロスイッチにより扉開閉検出部４−２が検知すると、複数のモニタ４−１−１のうち、カメラＬ３−１からの映像を映し出すモニタに当該ラック番号を表示する。また、Ａ−１ラックからＡ−６ラックの扉の開く動作を各々の扉に付けられたマイクロスイッチにより扉開閉検出部４−２が検知すると、カメラＲ３−２からの映像を映し出すモニタに当該ラック番号を表示させる。
【００２４】
当該モニタ画面に当該ラック番号を表示させるのは、例えばモニタの画面全体あるいは画面の一部に点滅表示させ、モニタを監視する監視員は点滅表示を確認後、モニタに接続された操作ボードにより点滅表示を消すことができるようになっている。
【００２５】
ここで、ラック２の扉の開閉センサは、マイクロスイッチのほか、電磁スイッチでもよい。さらに、マイクロスカメレオンコードの付いたシールを用いる場合には、カメレオンコードによりラック番号が特定されているシールを扉の厚み方向にある上面の一部に貼付する。そして、扉が開く時、動くシ−ルをカメラの視野に入れた撮像中のカメラＬ３−１またはカメラＲ３−２の撮像データを基に、シールにカメレオンコードで表示されているラック番号を扉開閉検出部４−２が読み取る。Ｂ−１ラックからＢ−６ラックの扉が開けられたときにはカメラＬ３−１からの、また、Ａ−１ラックからＡ−６ラックの扉が開けられたときにはカメラＲ３−２からの映像をそれぞれ映し出しているモニタにアラーム発生部４−３から当該ラック番号を表示する。
【００２６】
また、ラック２の扉の開閉センサと連動して扉の開閉を禁止するロック手段を設ける場合、Ａ−１からＡ−６ラックの扉のどれか1つが開けられたときにはＡ列に属する他の扉はロックされる。同様に、Ｂ列に属する扉もＢ−１からＢ−６ラックの扉のどれか1つが開けられたときにはＢ列に属する他の扉はロックされる。そして、それぞれ開けられた１つの扉が閉じられると、全ての扉はロックが解除され、再び１つの扉が開けられると、他の扉はロックされて開けられないようになっている。
【００２７】
ロック手段は、図３において、例えば扉３１、３２の開閉を行なうための鍵穴３８のキー差し込み口部分のキー差し込み方向と垂直な面に、前述のマイクロスイッチと連動した図示省略されている電磁式のスライド蓋が動作し、キー差し込みができる状態とできない状態とする機構、あるいは、扉３１、３２を吸引・開放する電磁ロック３９が前述のマイクロスイッチと連動するようになっていてもよい。
【００２８】
上記のロック手段は、モニタ４−１−１に接続された図示されていない操作ボードにより、全面解除他その他の操作ができるようになっている。
【００２９】
ＣＰＵ４−４は映像監視サーバ４の動作制御を行い、メモリ４−５はＣＰＵ４−４が映像監視サーバ４の動作制御を行う処理に必要な記憶装置である。ＤＢ４−６は映像監視サーバ４が必要な各種テーブルと参照資料を記憶しているデータベースであり、モニタ４−１−１に映し出される映像をも記録する。通信制御部４−７は外部機器との信号送受を行なうものである。
【００３０】
また、入室申請受付サーバ５は、申請端末５−１−１から作業者等によって入力される申請を処理する申請処理部５−１、ラック２内の作業を許可された作業者等が携行する位置検出可能なＲＦＩＤ（Radio frequency identification）付きＩＤカード又はこれを包含する貸し出し式の携帯端末機等の所在位置を監視する位置監視部５−２を有する。さらに、申請内容や入退室時刻や貸し出された作業対象ラックの扉を開閉するカギ番号と貸出返却時刻等を記録している管理テーブル５−３、入室申請受付サーバ５の動作制御を行なうＣＰＵ５−４、ＣＰＵ５−４が入室申請受付サーバ５の動作制御を行う処理に必要な記憶装置５−５を有す。また、入室申請受付サーバ５が必要な各種テーブルと参照資料を記憶しているデータベース５−５、外部機器との信号送受を行なう通信制御部５−７を有している。
【００３１】
例えばＢ−４ラックの扉が開けられたことを扉開閉検出部４−２が検出すると、まず映像監視サーバ４は通信制御部４−７を通じて入室申請受付サーバ５へ、現時刻においてＢ−４ラックの保守領域であるｂ−４において作業者等が携行するＲＦＩＤ付きＩＤカード又はこれを包含する貸し出し式の携帯端末機の有無を問い合わせる。入室申請受付サーバ５の通信制御部５−７はこの問い合わせ信号を受信し、入室申請受付サーバ５は、管理テーブル５−３を参照してＢ−４ラックの設置されている室番号を特定する。そして、保守領域であるｂ−４におけるＲＦＩＤの有無を位置監視部５−２によって検出する。位置監視部５−２は、Ｂ−４ラックの保守領域を監視しているカメラＬ１−３の近傍に取り付けられている図示されていないＲＦＩＤの位置情報読取器（図２に示されているＲＦＩＤ読取器２７）により、保守領域であるｂ−４にＲＦＩＤが有るか無いかを検出する。無い場合、又は有っても管理テーブル５−３を参照して当該ＲＦＩＤが当該時刻に保守領域のｂ−４に無いはずになっている場合にはアラーム発生部４−３にモニタ４−１−１のうちカメラＬ３−１からの映像を映し出しているモニタに当該ラック番号を表示させ、かつ、映像監視サーバ４の設置されている映像監視ルームの監視員に異常発生を音声によって知らせる。音声は映像監視ルームに取り付けられているスピーカから異常発生時に発する警告音でも、人工的な音声による警告でもよい。
【００３２】
上記の場合は、扉開閉センサ、ＲＦＩＤ読取器、扉開閉検出部等の故障、あるいは、権限の無い不当な者によりラックの扉が故意または間違いによって開けられたものと考えられる。
【００３３】
一方、上記以外の場合、すなわち、保守領域であるｂ−４にＲＦＩＤが有るか無いかを検出し、有る場合で、しかも管理テーブル５−３を参照して当該ＲＦＩＤが当該時刻に保守領域のｂ−４に有るはずになっている場合には、権限の有る正当な者が保守作業等を行なうものと考えられる。この場合には、Ｂ−４ラックの扉であるＢ−４扉が開けられたことを扉開閉検出部４−２が検出し、アラーム発生部４−３がカメラＬ３−１からの映像を映し出すモニタに点滅表示されている当該ラック番号を監視員は確認し、さらに、監視員は操作ボードからカメラＬ３−１を遠隔操作しモニタにより監視することができる。
【００３４】
そして、ある同じ時刻において、Ｂ−１扉からＢ−６扉のうち２つ以上の扉が開けられている状態であることを扉開閉検出部４−２が検出したら、カメラＬ３−１とカメラＲ３−２のどちらからも見えない死角が発生する可能性ありと見なす。アラーム発生部４−３は管理テーブル５−３から入手した情報を基に、当該作業者等が携行する貸し出し式のＲＦＩＤ付きＩＤカードを備えた無線携帯端末機に、例えば人工合成音声で「扉が２枚以上開けられているので、１枚を残し、残りの開いている扉を閉めてください」といったメッセージを流して注意を促す。
【００３５】
当該作業者等が無線携帯端末機でなく、貸し出し式のＲＦＩＤ付きＩＤカードだけを傾向している場合には、ＲＦＩＤの在る場所から一番近い天状に取り付けられたスピーカから、前述の無線携帯端末機に流したと同様のメッセージを流して注意を促す。
【００３６】
以上のように、モニタにより作業状況を監視している監視員も確実に、かつ、死角が発生する心配に煩されることなく監視が可能となる。
【００３７】
実施形態における第１の実施例の説明では、Ｂ−４扉が開けられたことを扉開閉検出部４−２が検出したとき、Ｂ−４ラックの保守領域において作業者等が携行するＲＦＩＤ付きＩＤカード又はこれを包含する貸し出し式の携帯端末機の有無を映像監視サーバ４が入室申請受付サーバ５に問い合わせる。
【００３８】
Ｂ−４ラックで保守作業を行なう作業者９がＢ−４扉を開ける時には、ｂ−４に居ると考えられる。
【００３９】
また、図１において、カメラＬ３−１とカメラＲ３−２のどちらからも死角領域を生ずるのは、Ｂ−４扉とＢ−３扉の両方を供に開けているような場合であり、作業者９は２つの扉の陰に隠れて２つのどちらのカメラからも死角に入ってしまっている。しかし、Ｂ−４扉とＢ−２扉を開けているときには、２つのカメラからの映像を２つのモニタを並べて見ても、扉の開く角度によって死角で見えない部分が有る場合と無い場合がある。
【００４０】
ここで、定常運用におけるメンテナンスの場合、Ｂ列に在る複数のラックの扉を同時に開けたり、また、Ａ列とＢ列に在る複数のラックの扉を同時にあけて保守作業を行なうようなスケジュールを立てることは極力避けて行なえる。そして、距離的に離れているＢ−２扉とＢ−４扉を同時に開けておく必要性はなく、また、不自然とも考えられる。
【００４１】
厳密に扉の開けてある角度を計算し、どこの保守領域のどの部分に死角が生じるかという検討とは別に、死角が発生することを未然に防ぐにはどうしたらよいかが重要である。
【００４２】
Ａ列、Ｂ列それぞれにおいて２箇所以上の扉が同一時刻に開けられているとモニタ画面に死角領域を生ずる可能性が高いため、この場合には死角領域を生ずると見なすと考えることがセキュリティ上、より安全と考えられる。
【００４３】
これにより、左右に設置されているカメラによる映像が同時にモニタ画像において死角領域が生ずることを予防でき、かつ、判断基準も簡素化できるという大きな効果が得られる。
【００４４】
図２は、実施形態におけるラックとカメラの相対位置の例を示す。
【００４５】
ラックとカメラの相対位置を立体的に示しており、左右に設置された２台のカメラ２１と、カメラ２２により監視する形態をとっている。ここで、左右１台づつのカメラによる監視に加え、左右２台づつのカメラとし、保守領域であるｂ−３、ｂ−４、ａ−４、ａ−３が接している中央部の天井に１台のカメラを追加して監視しても構わない。
【００４６】
図３は、実施形態における扉開閉検出部の例を示す。
【００４７】
扉スイッチ部３３〜３５をマイクロスイッチとしたときのマイクロスイッチ３６〜３７の取付位置の一例を示し、かつ、扉が両開きタイプのＢ−１０ラックと片開きタイプのＢ−４ラックの例を図示している。
【００４８】
図４は、従来例における問題点の説明図を示す。
【００４９】
図５は、実施形態におけるフローチャートの例を示す。図１に示す実施形態における第１の実施例におけるフローチャートの例である。
【００５０】
サーバ（映像監視サーバ４）は監視カメラ（カメラＬ３−１とカメラＲ３−２）から送られてくる映像を映像監視部４−１に接続された複数のモニタ４−１−１のうちの２台で別々に監視している（Ｓ５０１）。
【００５１】
Ｂ−４ラックの扉であるＢ−４扉が開かれる（５０２）と、Ｂ−４ラックに付けられているマイクロスイッチが動作し、これを扉開閉検出部４−２が検出し、扉開閉検出部４−２はＤＢ４−６を参照して、Ｂ−４ラックに付けられているマイクロスイッチの動作により、Ｂ−４ラックの扉が開けられたことを検出する（Ｓ５０３）。
【００５２】
映像監視サーバ４は入館申請受付サーバ５に対し、扉の開いたＢ−４ラックの保守領域ｂ−４にＲＦＩＤの有無を問い合わせる（Ｓ５０４）。
【００５３】
入館申請受付サーバ５から無しという回答を受け取ると、アラーム発生部４−３から映像監視サーバ４の設置されている映像監視ルームの監視員に異常発生を知らせる。入館申請受付サーバ５から有りという回答を受け取る（Ｓ５０５）と、ＲＦＩＤの携行者、作業内容、携帯端末機番号等の情報を入館申請受付サーバ５から入手（Ｓ５０６）する。
【００５４】
位置情報、ラック番号、作業レベル、時間帯等を確認し（Ｓ５０７）、これらの情報と管理テーブル５−３とを照合（Ｓ５０８）する。
【００５５】
当該ＲＦＩＤが当該時刻に保守領域のｂ−４には無いはずになっている場合には、異常と判断（Ｓ５０９）し、アラーム発生部４−３から映像監視サーバ４の設置されている映像監視ルームの監視員に異常発生を知らせる。
【００５６】
一方、有るはずになっている場合には、当該保守領域に正当情報があると判断（Ｓ５０９）する。権限の有る正当な者が保守作業等を行なうはずである。監視員は、モニタ４−１−１に接続された操作ボードからカメラＲ３−２を遠隔操作し監視を続けることができる。
【００５７】
そして、ある同じ時刻において、Ｂ−１扉からＢ−６扉のうち２つ以上の扉が開けられている状態であることを扉開閉検出部４−２が検出すると、カメラＬ３−１とカメラＲ３−２のどちらからも見えない死角が発生する、あるいはその可能性があり、これを死角が発生したと見なす（Ｓ５１０）。
【００５８】
映像監視サーバ４は作業中エラーと判断（Ｓ５１１）、映像監視サーバ４はアラーム発生部４−３から管理テーブル５−３より入手した情報を基に、当該作業者等が携行する貸し出し式のＲＦＩＤ付きＩＤカードを備えた無線携帯端末機に、例えば人工合成音声で「扉が２枚以上開けられているので、１枚を残し、残りの開いている扉を閉めてください」といった警告メッセージを流して注意を促す（Ｓ５１２）。
【００５９】
当該作業者等は１枚を残し、残りの開いている扉を閉める（Ｓ５１３）。作業が終了するまで扉開閉の監視による警告は繰り返し続けられ（Ｓ５１４）、当該作業者等は作業が終了するとＢ−４扉を閉める（Ｓ５１５）。そして、位置検出部付きの位置情報のリアルタイム監視は解除される（Ｓ５１６）。
【００６０】
図６は、実施形態におけるテーブル等の例を示す。
【００６１】
６−１は映像監視サーバ４ＤＢにもつテーブル例、６−２は入室申請受付サーバ５のもつ管理テーブル例、６−３は入室申請受付サーバ５のＤＢの種類と内容例を示す。
【符号の説明】
【００６２】
１                フロア
２                ラック
３、２１、２２           カメラ
４１−４４        カメラ
４                映像監視サーバ
５                入室申請受付サーバ
６                カメラ用ケーブル
７                扉開閉センサケーブル
９                作業者
２３              Ａ列のラック
２４              Ａ列のラックの保守領域
２５              Ｂ列のラック
２６              Ｂ列のラックの保守領域
２７              ＲＦＩＤ読取器
３１，３２        扉
３３、３４、３５    扉スイッチ部
３６、３７        マイクロスイッチ
３８              鍵穴
３９              電磁ロック
【図１】
0005630031.tif 000002
【図２】
0005630031.tif 000003
【図３】
0005630031.tif 000004
【図４】
0005630031.tif 000005
【図５】
0005630031.tif 000006
【図６】
0005630031.tif 000007